(57)【要約】【課題】遊技球を特定入賞領域へ誘導する第１の状態と誘導し難くする第２の状態との間で変動する誘導可動部材の実際の大きさを小さくしても、遊技者には遊技球が特定入賞領域へ誘導され易い視覚的印象を与えることができる弾球遊技機を提供する。【解決手段】遊技球を特定入賞領域２２へ誘導する第１の状態と、特定入賞領域２２への遊技球の誘導をし難くする第２の状態との間を変動すると共に、遊技者による視認が可能にされた誘導可動部材３３，３４とを備え、特定入賞領域２２付近には、誘導可動部材３３，３４と連動して変動すると共に、遊技者による視認が可能とされた連動可動部材４３，４４を備え、誘導可動部材３３，３４が第２の状態から第１の状態へ変動する際に誘導可動部材３３，３４の変動方向と略同方向へ連動可動部材４３，４４が変動し、誘導可動部材３３，３４の軌跡が描く面積よりも前記連動可動部材の軌跡が描く面積のほうを大きくした。【選択図】      図１
2005312566.tif 000002
【特許請求の範囲】
【請求項１】
遊技球を流下させる遊技領域を有する遊技盤と、
前記遊技領域に設けられ、遊技球が入賞すると遊技者に特定の価値が与えられる特定入賞領域と、
前記遊技領域に設けられ、遊技球を前記特定入賞領域へ誘導する第１の状態と、前記第１の状態よりも前記特定入賞領域への遊技球の誘導をし難くする第２の状態との間を変動すると共に、遊技者による視認が可能にされた誘導可動部材と、
を備えた弾球遊技機において、
前記特定入賞領域付近には、前記誘導可動部材と連動して変動すると共に、遊技者による視認が可能とされた連動可動部材を備え、
前記誘導可動部材が前記第２の状態から前記第１の状態へ変動する際に前記誘導可動部材の変動方向と略同方向へ前記連動可動部材が変動すると共に、前記誘導可動部材の軌跡が描く面積よりも前記連動可動部材の軌跡が描く面積の方が大きいことを特徴とする弾球遊技機。
【請求項２】
前記誘導可動部材は、前記連動可動部材と連動するための誘導可動部材側連結部を備えると共に、一点を軸として回動可能に前記遊技領域に固定され、
前記連動可動部材は、前記誘導可動部材と連動するために前記誘導可動部材側連結部に連結する連動可動部材側連結部を備えると共に、一点を軸として回動可能に前記遊技領域に固定され、
前記誘導可動部材又は前記連動可動部材の何れか一方を変動させることにより、他方を変動させるように構成したことを特徴とする請求項１に記載の弾球遊技機。
【請求項３】
前記誘導可動部材は、前記特定入賞領域を中心軸として線対称の位置にそれぞれ設けられていることを特徴とする請求項１又は２に記載の弾球遊技機。
【請求項４】
前記誘導可動部材は、前記誘導可動部材の遊技盤側に配置される部材と略同一色又は透明とされていることを特徴とする請求項１から３の何れか一項に記載の弾球遊技機。
【請求項５】
前記連動可動部材は、前記連動可動部材の遊技盤側に配置される部材とは異なる色とされていることを特徴とする請求項１から４の何れか一項に記載の弾球遊技機。
【請求項６】
前記連動可動部材は、略弧状とされて、弧の内周側が前記特定入賞領域側となるようにして弧の長さ方向一端側が回動可能に軸支され、
前記誘導可動部材が第１の状態時には、前記第２の状態時よりも前記連動可動部材の先端部と前記特定入賞領域との間隔が大となることを特徴とする請求項２から５の何れか一項に記載の弾球遊技機。
【請求項７】
遊技球を流下させる遊技領域の形成された遊技盤と、
前記遊技領域に設けられ、遊技球が入賞すると遊技者に特定の価値が与えられる特定入賞領域と、
前記遊技領域に設けられ、遊技球を前記特定入賞領域へ誘導する第１の状態と、前記第１の状態よりも前記特定入賞領域への遊技球の誘導をし難くする第２の状態との間を回動すると共に、遊技者による視認が可能にされた誘導可動部材と、
を備えた弾球遊技機において、
前記誘導可動部材は、基部に回動中心軸が設けられて回動可能とされた第１可動片で構成されると共に、前記基部側から所定長を有する連結溝が形成され、
前記誘導可動部材の下方には、前記誘導可動部材の回動中心軸とは異なる回動中心軸を中心として回動可能な第２可動片からなる連動可動部材が設けられ、
前記連動可動部材は、基部に前記連動可動部材の回動中心軸が設けられると共に、前記誘導可動部材の前記連結溝に係合して前記誘導可動部材の回動時に前記連結溝内をスライドして前記連動可動部材と前記誘導可動部材を連動させる連結部を、前記連動可動部材における基部から離れた位置に備え、
前記誘導可動部材の回動中心軸と前記誘導可動部材の回動中心軸から最も遠い前記誘導可動部材の先端との距離が、前記連動可動部材の回動中心軸と前記連動可動部材の回動中心軸から最も遠い前記連動可動部材の先端との距離よりも小とされ、
前記第１の状態時における前記連動可動部材の連結部を通る垂線よりも前記特定入賞領域寄りに前記連動可動部材の回動中心軸が位置することを特徴とする弾球遊技機。
【請求項８】
遊技球を流下させる遊技領域の形成された遊技盤と、
前記遊技領域に設けられ、遊技球が入賞すると遊技者に特定の価値が与えられる特定入賞領域と、
前記遊技領域に設けられ、遊技球を前記特定入賞領域へ誘導する第１の状態と、前記第１の状態よりも前記特定入賞領域への遊技球の誘導をし難くする第２の状態との間を回動すると共に、遊技者による視認が可能にされた誘導可動部材と、
を備えた弾球遊技機において、
前記誘導可動部材は、基部に回動中心軸が設けられて回動可能とされた第１可動片で構成されると共に、前記基部側から所定長を有する連結溝が形成され、
前記誘導可動部材の下方には、前記誘導可動部材の回動中心軸とは異なる回動中心軸を中心として回動可能な第２可動片からなる連動可動部材が設けられ、
前記連動可動部材は、基部に前記連動可動部材の回動中心軸が設けられると共に、前記誘導可動部材の前記連結溝に係合して前記誘導可動部材の回動時に前記連結溝内をスライドして前記連動可動部材と前記誘導可動部材を連動させる連結部を、前記連動可動部材における基部から離れた位置に備え、
前記第１の状態時における前記誘導可動部材の外周縁において前記誘導可動部材の回動中心軸を通る垂線との距離が最大となる位置での前記垂線との距離が、前記第１の状態時における前記連動可動部材の外周縁において前記誘導可動部材の回動中心軸を通る垂線との距離が最大となる位置での前記垂線との距離よりも小とされ、
前記第１の状態時における前記連動可動部材の連結部を通る垂線よりも前記特定入賞領域寄りに前記連動可動部材の回動中心軸が位置することを特徴とする弾球遊技機。
【発明の詳細な説明】
【技術分野】
【０００１】
本発明は、遊技球を特定入賞領域へ誘導する第１の状態と、第１の状態よりも特定入賞領域への遊技球の誘導をし難くする第２の状態との間を変動する誘導可動部材を備える弾球遊技機に関する。
【背景技術】
【０００２】
従来、パチンコ機等の弾球遊技機には、誘導羽根が開くことによって遊技球を可動入賞装置に誘導して入賞可能とし、入賞した場合に所定数の遊技球を払い出す機種がある。また、前記誘導羽根を開閉する弾球遊技機においては、より多くの遊技球を獲得できるという遊技者の期待感をさらに高めるため、誘導羽根を可動入賞装置のベース盤に取り付けると共に、可動入賞装置のベース盤が取り付けられる遊技盤については、誘導羽根が開閉する際に誘導羽根の変動領域に位置する部分の遊技盤を露出させる構成として、開閉動作する誘導羽根を可動入賞装置とは別個独立した存在に見せ、それにより視覚的な作用として誘導羽根の大きさを実際よりも大きく見せて、遊技球を流下する遊技球がより多く可変入賞装置内に入賞する感を遊技者に持たせる弾球遊技機が提案されている。
【０００３】
また、可動入賞装置が設けられる遊技領域は、可動入賞装置の他に種々の装置や部材が配置されるため、可動入賞装置の高さに制約を受けることがあり、誘導羽根を小さくしなければならないことがある。さらに、誘導羽根の実際の大きさは、入賞し易さ、すなわち入賞による遊技球の払出数に影響を与えるため、誘導羽根を自由に大きくすることができず、誘導羽根の開閉回数との関係から誘導羽根を小さくすることがある。
【０００４】
ところが、従来の弾球遊技機にあっては、誘導羽根の実際の大きさを小さくすると、前記視覚的作用を補っても、遊技者には誘導羽根が小さくなったように見え、遊技球が入賞装置に誘導されにくくなった感を遊技者に与え、遊技に対する興味を損なわせるようになる。
【特許文献１】特開２００３−１６４６００号公報
【発明の開示】
【発明が解決しようとする課題】
【０００５】
本発明は、前記の点に鑑みなされたもので、遊技球を特定入賞領域へ誘導する第１の状態と誘導し難くする第２の状態との間で変動する誘導可動部材の実際の大きさを小さくしても、遊技者には遊技球が特定入賞領域へ誘導され易い視覚的印象を与えることができ、しかも実際の入賞し易さに影響を与えることなく、遊技者に遊技球が特定入賞領域へ誘導され易い視覚的印象を与えることのできる弾球遊技機を提供することを目的とする。
【課題を解決するための手段】
【０００６】
請求項１の発明は、遊技球を流下させる遊技領域を有する遊技盤と、前記遊技領域に設けられ、遊技球が入賞すると遊技者に特定の価値が与えられる特定入賞領域と、前記遊技領域に設けられ、遊技球を前記特定入賞領域へ誘導する第１の状態と、前記第１の状態よりも前記特定入賞領域への遊技球の誘導をし難くする第２の状態との間を変動すると共に、遊技者による視認が可能にされた誘導可動部材と、を備えた弾球遊技機において、前記特定入賞領域付近には、前記誘導可動部材と連動して変動すると共に、遊技者による視認が可能とされた連動可動部材を備え、前記誘導可動部材が前記第２の状態から前記第１の状態へ変動する際に前記誘導可動部材の変動方向と略同方向へ前記連動可動部材が変動すると共に、前記誘導可動部材の軌跡が描く面積よりも前記連動可動部材の軌跡が描く面積の方が大きいことを特徴とする。
【０００７】
請求項２の発明は、請求項１において、前記誘導可動部材は、前記連動可動部材と連動するための誘導可動部材側連結部を備えると共に、一点を軸として回動可能に前記遊技領域に固定され、前記連動可動部材は、前記誘導可動部材と連動するために前記誘導可動部材側連結部に連結する連動可動部材側連結部を備えると共に、一点を軸として回動可能に前記遊技領域に固定され、前記誘導可動部材又は前記連動可動部材の何れか一方を変動させることにより、他方を変動させるように構成したことを特徴とする。
【０００８】
請求項３の発明は、請求項１又は２において、前記誘導可動部材は、前記特定入賞領域を中心軸として線対称の位置にそれぞれ設けられていることを特徴とする。
【０００９】
請求項４の発明は、請求項１から３の何れか一項において、前記誘導可動部材は、前記誘導可動部材の遊技盤側に配置される部材と略同一色又は透明とされていることを特徴とする。
【００１０】
請求項５の発明は、請求項１から４の何れか一項において、前記連動可動部材は、前記連動可動部材の遊技盤側に配置される部材とは異なる色とされていることを特徴とする。
【００１１】
請求項６の発明は、請求項２から５の何れか一項において、前記連動可動部材は、略弧状とされて、弧の内周側が前記特定入賞領域側となるようにして弧の長さ方向一端側が回動可能に軸支され、前記誘導可動部材が第１の状態時には、前記第２の状態時よりも前記連動可動部材の先端部と前記特定入賞領域との間隔が大となることを特徴とする。
【００１２】
請求項７の発明は、遊技球を流下させる遊技領域の形成された遊技盤と、前記遊技領域に設けられ、遊技球が入賞すると遊技者に特定の価値が与えられる特定入賞領域と、前記遊技領域に設けられ、遊技球を前記特定入賞領域へ誘導する第１の状態と、前記第１の状態よりも前記特定入賞領域への遊技球の誘導をし難くする第２の状態との間を回動すると共に、遊技者による視認が可能にされた誘導可動部材と、を備えた弾球遊技機において、前記誘導可動部材は、基部に回動中心軸が設けられて回動可能とされた第１可動片で構成されると共に、前記基部側から所定長を有する連結溝が形成され、前記誘導可動部材の下方には、前記誘導可動部材の回動中心軸とは異なる回動中心軸を中心として回動可能な第２可動片からなる連動可動部材が設けられ、前記連動可動部材は、基部に前記連動可動部材の回動中心軸が設けられると共に、前記誘導可動部材の前記連結溝に係合して前記誘導可動部材の回動時に前記連結溝内をスライドして前記連動可動部材と前記誘導可動部材を連動させる連結部を、前記連動可動部材における基部から離れた位置に備え、前記誘導可動部材の回動中心軸と前記誘導可動部材の回動中心軸から最も遠い前記誘導可動部材の先端との距離が、前記連動可動部材の回動中心軸と前記連動可動部材の回動中心軸から最も遠い前記連動可動部材の先端との距離よりも小とされ、前記第１の状態時における前記連動可動部材の連結部を通る垂線よりも前記特定入賞領域寄りに前記連動可動部材の回動中心軸が位置することを特徴とする。
【００１３】
請求項８の発明は、遊技球を流下させる遊技領域の形成された遊技盤と、前記遊技領域に設けられ、遊技球が入賞すると遊技者に特定の価値が与えられる特定入賞領域と、前記遊技領域に設けられ、遊技球を前記特定入賞領域へ誘導する第１の状態と、前記第１の状態よりも前記特定入賞領域への遊技球の誘導をし難くする第２の状態との間を回動すると共に、遊技者による視認が可能にされた誘導可動部材と、を備えた弾球遊技機において、前記誘導可動部材は、基部に回動中心軸が設けられて回動可能とされた第１可動片で構成されると共に、前記基部側から所定長を有する連結溝が形成され、前記誘導可動部材の下方には、前記誘導可動部材の回動中心軸とは異なる回動中心軸を中心として回動可能な第２可動片からなる連動可動部材が設けられ、前記連動可動部材は、基部に前記連動可動部材の回動中心軸が設けられると共に、前記誘導可動部材の前記連結溝に係合して前記誘導可動部材の回動時に前記連結溝内をスライドして前記連動可動部材と前記誘導可動部材を連動させる連結部を、前記連動可動部材における基部から離れた位置に備え、前記第１の状態時における前記誘導可動部材の外周縁において前記誘導可動部材の回動中心軸を通る垂線との距離が最大となる位置での前記垂線との距離が、前記第１の状態時における前記連動可動部材の外周縁において前記誘導可動部材の回動中心軸を通る垂線との距離が最大となる位置での前記垂線との距離よりも小とされ、前記第１の状態時における前記連動可動部材の連結部を通る垂線よりも前記特定入賞領域寄りに前記連動可動部材の回動中心軸が位置することを特徴とする。
【発明の効果】
【００１４】
請求項１の発明によれば、前記誘導可動部材が前記第２の状態から前記第１の状態へ変動する際に前記誘導可動部材の変動方向と略同方向へ前記連動可動部材が変動すると共に、前記誘導可動部材の軌跡が描く面積よりも前記連動可動部材の軌跡が描く面積の方が大きいことから、前記誘導可動部材が単独で変動するよりも前記誘導可動部材と前記連動可動部材が連動して動く方が変動が大であるとの視覚的印象を遊技者に与えることができ、前記誘導可動部材の実際の動きよりも大きく見せることが可能である。しかも、前記連動可動部材については遊技球の特定入賞領域への誘導とは無関係の構成とすることにより、実際の入賞のし易さに影響を受けることなく、遊技球が特定入賞領域へ誘導され易くなったと遊技者に思わせることができる。
【００１５】
請求項２の発明によれば、前記誘導可動部材は、前記連動可動部材と連動するための誘導可動部材側連結部を備えると共に、一点を軸として回動可能に前記遊技領域に固定され、前記連動可動部材は、前記誘導可動部材と連動するために前記誘導可動部材側連結部に連結する連動可動部材側連結部を備えると共に、一点を軸として回動可能に前記遊技領域に固定され、前記誘導可動部材又は前記連動可動部材の何れか一方を変動させることにより、他方を変動させるように構成したことから、一つの可動装置で二つの可動部材を変動させることができ、遊技機のメンテナンスが容易になると共に遊技機を安価にすることが可能である。
【００１６】
請求項３の発明によれば、前記誘導可動部材は、前記特定入賞領域を中心軸として線対称の位置にそれぞれ設けられていることから、より多くの遊技球を特定入賞領域へ誘導して入賞させることが可能である。
【００１７】
請求項４の発明によれば、前記誘導可動部材は、前記誘導可動部材の遊技盤側に配置される部材と略同一色又は透明とされていることにより、前記誘導可動部材よりも前記連動可動部材の動きを目立たせ、遊技者にあたかも連動可動部材によって遊技球が特定入賞領域へ誘導されるような印象を与え、より入賞し易くなったと感じさせることが可能である。
【００１８】
請求項５の発明によれば、前記連動可動部材は、前記連動可動部材の遊技盤側に配置される部材とは異なる色とされていることにより、連動可動部材をより目立たせることが可能である。
【００１９】
請求項６の発明によれば、前記連動可動部材は、略弧状とされて、弧の内周側が前記特定入賞領域側となるようにして弧の長さ方向一端側が回動可能に軸支され、前記誘導可動部材が第１の状態時には、前記第２の状態時よりも前記連動可動部材の先端部と前記特定入賞領域との間隔が大となるように構成したことにより、第１の状態時に、あたかも前記連動可動部材より内方側が特定入賞領域であるかのように遊技者に思わせるが可能であると共に、前記連動可動部材の内側を特定入賞領域として、より広く見せることが可能である。
【００２０】
請求項７の発明によれば、前記誘導可動部材の回動中心軸と前記誘導可動部材の回動中心軸から最も遠い前記誘導可動部材の先端との距離が、前記連動可動部材の回動中心軸と前記連動可動部材の回動中心軸から最も遠い前記連動可動部材の先端との距離よりも小とされ、前記第１の状態時における前記連動可動部材の連結部を通る垂線よりも前記特定入賞領域寄りに前記連動可動部材の回動中心軸が位置する構成としたことにより、第２の状態から第１の状態へ誘導可動部材が変動する際に、前記連動可動部材の変動によって誘導可動部材の変動を実際よりも大きく見せることが可能であり、しかも、実際の入賞のし易さに影響を受けることなく、遊技球が特定入賞領域へ誘導され易くなったと遊技者に思わせることが可能である。
【００２１】
請求項８の発明によれば、前記第１の状態時における前記誘導可動部材の外周縁において前記誘導可動部材の回動中心軸を通る垂線との距離が最大となる位置での前記垂線との距離が、前記第１の状態時における前記連動可動部材の外周縁において前記誘導可動部材の回動中心軸を通る垂線との距離が最大となる位置での前記垂線との距離よりも小とされ、前記第１の状態時における前記連動可動部材の連結部を通る垂線よりも前記特定入賞領域寄りに前記連動可動部材の回動中心軸が位置する構成としたことにより、第２の状態から第１の状態へ誘導可動部材が変動する際に、前記連動可動部材の変動によって誘導可動部材の変動を実際よりも大きく見せることが可能であり、しかも、実際の入賞のし易さに影響を受けることなく、遊技球が特定入賞領域へ誘導され易くなったと遊技者に思わせることが可能である。
【発明を実施するための最良の形態】
【００２２】
以下添付の図面に基づき本発明の好適な実施形態を説明する。図１は本発明の一例に係る弾球遊技機を示す正面図、図２は同弾球遊技機の遊技盤について釘を省略して示す正面図、図３は同弾球遊技機の役物の正面図、図４は同弾球遊技機の役物における誘導可動部材の第１の状態と第２の状態を示す斜視図、図５は同弾球遊技機において誘導可動部材と連動可動部材の軌跡が描く面積を示す図、図６は同弾球遊技機において誘導可動部材の回動中心軸等との距離的関係を説明する図、図７は同弾球遊技機において誘導可動部材の回動中心軸を通る垂線等との距離的関係を説明する図、図８は同弾球遊技機の誘導可動部材における第１の状態と第２の状態を示す斜視図及び誘導可動部材及び連動可動部材の分解斜視図である。
【００２３】
図１に示すこの実施例の弾球遊技機１は、遊技媒体として遊技球を用いるパチンコ遊技機であって、遊技盤３の縁に遊技球の外側ガイドレール４及び内側ガイドレール５が略円形に立設されている。図２にも示すように、前記遊技盤３には前記内側ガイドレール５によって囲まれた遊技領域６の中心線上にその上部から下部に向かって順に表示装置７、役物１０と称される始動入賞装置１１と大入賞装置２１、アウト口７１が配設され、また上方両側にはランプ風車７２，７３、その下方に普通図柄変動開始用左ゲート７４及び普通図柄変動開始用右ゲート７５、その下方に風車７６，７７が配設されている。
【００２４】
前記表示装置７は、特別図柄表示部８と、前記特別図柄表示部８の左下に組み込まれた普通図柄表示部９とよりなる。前記特別図柄表示部８は、液晶，ドットマトリックス若しくはＬＥＤ表示装置等の表示装置からなる。本実施例では、液晶表示器（ＴＦＴ−ＬＣＤモジュール）で構成される。前記普通図柄表示部９は、前記特別図柄表示部８を構成する液晶表示器の一部を普通図柄表示部の表示領域としている。
【００２５】
前記特別図柄表示部８は、図柄を可変表示可能なものとされ、大当たり判定結果用の特別図柄が所定時間変動表示された後に停止表示可能とされ、停止表示された図柄組合せによって当否判定結果が表示される。本実施例の特別図柄表示部８には、左側表示領域、中央表示領域、右側表示領域の３つの表示領域が設けられ、それぞれの表示領域に『０，１，２，３，４，５，６，７，８，９，１０，１１』の１２種類の特別図柄が表示可能とされている。
【００２６】
前記普通図柄表示部９は、小当たり判結果用の図柄として記号或いは絵等からなる普通図柄が変動表示及び停止表示可能とされている。本実施例における前記普通図柄表示部９に変動及び停止表示される普通図柄（小当たり判定図柄）は、『０，１，２，３，４，５，６，７，８，９』の１０通りの図柄とされており、所定条件に起因して変動及び停止表示される。
【００２７】
前記始動入賞装置１１は、図３及び図４にも示すように、２つの始動入賞装置用可動片１２，１３が設けられ、背面の始動入賞装置用ソレノイド１５により略垂直な平行状態と、略Ｖ字形（逆ハの字形）をした拡開状態間を変動可能とされ、前記始動入賞装置用可動片１２，１３間が始動入賞領域１４とされている。前記始動入賞装置用可動片１２，１３が略垂直な平行状態になると、遊技球が前記始動入賞領域１４に入球し難くなり、それに対し、前記始動入賞装置用可動片１２，１３が拡開状態になると、遊技球が前記始動入賞領域１４へ入球しやすくなる。本実施例では、前記始動入賞装置用可動片１２，１３は、通常時に略垂直状態とされ、前記普通図柄表示部９で普通図柄（小当たり判定図柄）が変動した後、予め決められた小当たりの普通図柄で確定停止表示されて小当たり（普通図柄当たり）が表示されることによって、前記拡開状態となる。なお、前記始動入賞装置１１の背面側には前記始動入賞領域１４に遊技球が入球（入賞）したことを検出する始動入賞検出スイッチが設けられている。
【００２８】
前記大入賞装置２１は、図３及び図４にも示すように、中央に特定入賞領域２２を備える。前記特定入賞領域２２は、上面が閉じられ、大入賞装置２１の左右の特定入賞領域入球口２３，２４からのみ遊技球が入球可能とされている。前記特定入賞領域入球口２３，２４は、前記特定入賞領域２２を中心軸Ｃとして、すなわち特定入賞領域２２の中心を通る垂直線を中心軸Ｃとして線対称の位置に設けられている。また、前記特定入賞領域入球口２３，２４への遊技球の入球を検出する、すなわち前記特定入賞領域２２に遊技球が入球（入賞）したことを検出する特定入賞領域入賞検出スイッチ２５（図４の４−Ｂに示す。）が、前記特定入賞領域入球口２３，２４にそれぞれ設けられている。なお、前記特定入賞領域２２の遊技盤３側には特定入賞口２７が設けられると共に、前記特定入賞口２７に遊技球が入球（入賞）したことを検出する特定入賞口入賞検出スイッチが設けられている。
【００２９】
また、前記特定入賞領域入球口２３，２４には、遊技球を前記特定入賞領域２２に誘導するための誘導可動部材として第１可動片３３，３４が、前記特定入賞領域２２を中心軸Ｃとして線対称に設けられ、遊技者に視認可能とされている。前記第１可動片３３，３４は、所定長からなり、長さ方向に沿う一端側を基部３５，３６とし、前記基部３５，３６の一点に設けられた回動中心軸４１，４２を中心として遊技盤３と平行に回動可能に前記特定入賞領域入球口２３，２４の下部に軸支固定され、前記２つの第１可動片３３，３４が、略垂直な平行状態となって前記特定入賞領域入球口２３，２４を塞ぐ第２の状態と、略Ｖ字形（逆ハの字形）に拡開して前記特定入賞領域入球口２３，２４を開放する第１の状態との間を、回動により変動可能とされている。前記誘導可動部材としての第１可動片３３，３４が第１の状態となることによって、遊技球が前記第１可動片３３，３４の上面に沿って前記特定入賞領域２２に誘導されるようになり、それに対して、前記第２の状態となることによって、遊技球が前記第１の状態よりも前記特定入賞領域２２へ誘導され難くなり、本実施例では誘導不可能となる。また、前記第１可動片３３，３４の基部３５，３６と先端間には、誘導可動部材側連結部としての連結溝３７，３８が前記基部３５，３６側から所定長の長さで長孔形状に形成されている。本実施例の連結溝３７，３８は、遊技盤３の前後方向に貫通形成されている。
【００３０】
さらに前記大入賞装置２１には、前記特定入賞領域２２付近に、本実施例では前記特定入賞領域２２の外側における前記第１可動片３３，３４の下方に、前記特定入賞領域２２を中心軸Ｃとして線対称の位置に連動可動部材としての第２可動片４３，４４を、遊技者に視認可能に備える。前記第２可動片４３，４４は、前記第１可動片３３，３４とは異なり、遊技球を前記特定入賞領域２２へ誘導する作用が無く、偽誘導可動部材とも言うべきものである。前記第２可動片４３，４４は、略円弧状とされ、円弧の内周側４３ａ，４４ａが前記特定入賞領域２２側となるようにして、円弧の長さ方向の一端側を基部４５，４６とし、前記基部４５，４６を下側にすると共に基部４５，４６の一点に設けられた前記誘導可動部材の回動中心軸（前記第１可動片３３，３４の回動中心軸４１，４２）とは異なる連動可動部材の回動中心軸５１，５２を中心として回動可能に軸支固定されている。また、前記第２可動片４３，４４は、前記軸支固定側の基部４５，４６から離れた先端部４７，４８に、遊技盤３側へ向けて突出した軸からなる連動可動部材側連結部４９，５０を備える。前記連動可動部材側連結部４９，５０は、前記第１可動片３３，３４における誘導可動部材側連結部としての連結溝３７，３８に挿入されて係合し、それによって、前記誘導可動部材としての第１可動片３３，３４と前記連動可動部材としての第２可動片４３，４４が連結される。前記のように連結したことにより、第１可動片３３，３４と第２可動片４３，４４の何れか一方を回動させれば、本実施例では連動可動部材としての第２可動片３３，３４を回動させれば、前記誘導可動部材としての第１可動片３３，３４における連結溝３７，３８内を、前記第２可動片３３，３４の連動可動部材側連結部４９，５０がスライドして、前記第１可動片３３，３４と第２可動片が連動して略同方向へ回動する。また、前記構成としたことにより、前記誘導可動部材としての第１可動片３３，３４が前記第１の状態時には、前記第２の状態時よりも前記連動可動部材としての前記第２可動片４３，４４の先端部４７，４８と特定入賞領域２２との間隔が大となり、遊技者に前記第２可動片４３，４４の先端部４７，４８間が入賞領域２２のように思わせることが可能である。
【００３１】
前記誘導可動部材としての第１可動片３３，３４は、前記役物１０の遊技盤側部材１７と前面側部材１８間に回動可能に軸支され、前記遊技盤側部材１７が前記遊技盤３の前面の所定位置に固定されることによって、前記第１可動片３３，３４が前記遊技領域６に回動可能に固定される。また、前記誘導可動部材としての第１可動片３３，３４は、基部３５，３６の一部を除いて前記役物１０の前面側部材１８から露出して遊技者に視認可能とされている。前記役物１０の遊技盤側部材１７と前面側部材１８間における前記第１回動片３３，３４の基部３５，３６上方に前記特定入賞領域入球口２３，２４が形成されている。また、前記誘導可動部材としての第１可動片３３，３４は、前記第１可動片３３，３４の遊技盤３側に配置される部材、すなわち前記遊技盤側部材１７と略同一色とされるか透明とされ、目立たないようにされている。それに対し、前記連動可動部材としての第２回動片４３，４４は、前記第２可動片４３，４４の遊技盤３側に配置される部材、すなわち前記遊技盤側部材１７とは異なる色（透明を除く）とされ、目立つようにされている。これによって、前記誘導可動部材としての第１可動片３３，３４と前記連動可動部材としての第２可動片４３，４４が連動して前記第１の状態と第２の状態間を回動する際に、あたかも連動可動部材としての第２可動片４３，４４のみが回動しているかのような印象を遊技者に与えると共に、前記第１の状態時には前記第２可動片４３，４４によって前記特定入賞領域入球口２３，２４が開放されて前記第２可動片４３，４４により遊技球が前記特定入賞領域へ遊技球が誘導されるような感を遊技者に与えることが可能である。
【００３２】
さらに前記連動可動部材としての第２可動片４３，４４は、基部４５，４６から先端部４７，４８までの全体が前記役物１０の前面側部材１８から露出した状態で、前記遊技盤側部材１７の前面側に基部４５，４６で回動可能に軸支固定され、遊技者に全体が視認可能とされている。これによって、前記第２の状態から第１の状態へ前記誘導可動部材としての第１可動片３３，３４が回動して変動する際に、遊技者は、前記連動可動部材としての第２可動片４３，４４の全体が回動して変動するのを視認することができ、前記特定入賞領域入球口２３，２４が、前記第２可動片４３の基部４５，４６から大きく開くような印象を持つ。
【００３３】
また、図５に示すように、前記誘導可動部材としての第１可動片３３，３４が前記第２の状態（閉状態）から前記第１の状態（開状態）へ回動して変動する際、前記第１可動片３３，３４の軌跡が描く面積Ｓ１よりも、前記連動可動部材としての第２可動片４３，４４の軌跡が描く面積Ｓ２の方が大きくなるようにされている。なお、図５において、Ｓ１，Ｓ２は斜線で示す部分の面積である。また、Ｓ１＜Ｓ２にするには、図示の例のように、前記第１可動片３３，３４の長さよりも前記第２可動片４３，４４の長さを大にすることまたは、第１可動片３３，３４よりも第２可動片４３，４４の遊技者から視認される部分の面積を大きくすることにより可能である。Ｓ１＜Ｓ２としたことにより、前記誘導可動部材としての第１可動片３３，３４が単独で変動するよりも、前記第１可動片３３，３４と前記連動可動部材としての第２可動片４３，４４が連動して動く方が、変動が大であるとの視覚的印象を遊技者に与えることができ、前記誘導可動部材としての第１可動片３３，３４の動きによる前記特定入賞領域入球口２３，２４の実際の開放よりも、前記特定入賞領域入球口２３，２４が大きく口を開いた印象を遊技者に与えることができ、遊技球が特定入賞領域２２へ誘導され易いと思わせることが可能である。
【００３４】
さらに、本実施例では、図６に示すように、前記誘導可動部材としての第１可動片３３，３４の回動中心軸４１，４２と前記第１可動片３３，３４の回動中心軸４１，４２から最も遠い第１可動片３３，３４の先端との距離ｒ１が、前記連動可動部材としての第２可動片４３，４４の回動中心軸５１，５２と該回動中心軸５１，５２から最も遠い第２可動片４３，４４の先端との距離ｒ２よりも小とされ、前記第１の状態時における第２可動片の連結部を通る垂線Ｖ２よりも前記特定入賞領域２２寄りに前記第２可動片４３，４４の回動中心軸５１，５２が位置するように構成されている。この構成としたことによって、第２の状態から第１の状態へ前記誘導可動部材としての第１可動片３３，３４が変動する際に、前記連動可動部材としての第２可動片４３，４４によって第１可動片３３，３４の変動を実際よりも大きく見せることが可能となる。
【００３５】
さらにまた、本実施例では、図７に示すように、前記第１の状態時、前記誘導可動部材としての第１可動片３３，３４の外周縁において、前記第１可動片３３，３４の回動中心軸４１，４２を通る垂線Ｖ１との距離ｄ１が最大となる位置での前記垂線Ｖ１との距離ｄ１が、前記第１の状態時、前記連動可動部材としての第２可動片４３，４４の外周縁において前記第１可動片の回動中心軸４１，４２を通る垂線Ｖ１との距離ｄ２が最大となる位置での前記垂線Ｖ１との距離ｄ２よりも小とされ、前記第１の状態時における前記第２可動片の連結部を通る垂線Ｖ２よりも前記特定入賞領域２２寄りに前記第２可動片４３，４４の回動中心軸５１，５２が位置するように構成されている。この構成としたことによって、前記第２の状態から第１の状態へ前記誘導可動部材としての第１可動片３３，３４が変動する際に、前記連動可動部材としての第２可動片４３，４４によって第１可動片３３，３４の変動を実際よりも大きく見せることが可能となる。しかも前記第１の状態時には前記第２可動片４３，４４の外周が前記第１可動片３３，３４の外周よりも前記特定入賞領域２２の外方へ突出しているため、前記第１可動片３３，３４による前記特定入賞領域入球口２３，２４の実際の開放よりも前記第２可動片４３，４４により前記特定入賞領域入球口２３，２４が大きく口を開いた印象を遊技者に与え、前記第２可動片４３，４４によって遊技球が特定入賞領域２２へ誘導され易いと思わせることが可能である。
【００３６】
前記誘導可動部材としての第１可動片３３，３４及び前記連動可動部材としての第２可動片４３，４４の駆動構造について、図８を用いて説明する。なお、図８は、前記特定入賞領域２２の左側に位置する第１可動片３３及び第２可動片４３の駆動構造についてのみ示しているが、前記特定入賞領域２２の右側に位置する第１可動片３４及び第２可動片４４の駆動構造については、前記特定入賞領域２２を中心軸として左側の第１可動片３３及び第２可動片４３の駆動構造と線対称に各部品が配置されているだけである。
【００３７】
前記第１可動片３３，３４は、前記基部３５，３６が回動中心軸４１，４２によって、前記役物１０の遊技盤側部材１７と前面側部材１８間に軸支されて、前記遊技盤３の前面と平行な面を回動可能とされる。また、前記第２可動片４３，４４は、前記基部４５，４６が回動中心軸５１，５２によって、前記役物１０の遊技盤側部材１７における前記第１可動片３３，３４の基部３５，３６よりも下方、略真下の位置に軸支されて、前記遊技盤３の前面と平行な面を回動可能にされる。前記第２可動片４３，４４の先端側には、前記連動可動部材側連結部４９，５０としての軸部材が一端側で固定され、前記連動可動部材側連結部４９，５０としての軸部材の他端側が、前記第１可動片３３，３４の連結溝３７，３８に挿入される。符号５４，５５は、前記第２可動片４３，４４の回動中心軸５１，５２の保持用環状体である。
【００３８】
前記第２可動片４３，４４の回動中心軸５１，５２は、前記役物１０の遊技盤側部材１７を貫通して一端側で前記第２可動片４３，４４の基部４５，４６に挿通固定され、他端側に前記第２可動片４３，４４の回動中心軸５１，５２と平行な軸５６を有する第２揺動アーム５７がそれぞれ取り付けられる。前記第２可動片４３，４４の回動中心軸５１，５２の上方には、前記回動中心軸５１，５２と直交方向に、可動片回動用ソレノイド５８がそれぞれ配置される。前記可動片回動用ソレノイド５８の前進後退作動部５９には、前記第２可動片４３，４４の回動中心軸５１，５２と直交する面を揺動可能な第１揺動アーム６１が、ピン６３によって下向きに取り付けられている。また、前記第１揺動アーム６１の下部には前記第２可動片４３，４４の回動中心軸５１，５２と平行な貫通孔６２が形成されており、前記貫通孔６２に前記第２揺動アーム５７の軸５６が挿入される。
【００３９】
このように構成された前記第１可動片３３，３４及び第２可動片４３，４４は、前記可動片回動用ソレノイド５８の前進後退作動部５９が前進後退すると、前記第１揺動アーム６１及び第２揺動アーム５７を介して前記第２可動片４３，４４が基部４５，４６を中心として回動（揺動）する。また、前記第２可動片４３，４４の回動（揺動）によって前記連動可動部材側連結部４９，５０が前記第１可動片３３，３４の連結溝３７，３８内をスライドし、前記第１可動片３３，３４がその基部３５，３６を中心として前記第２可動片４３，４４の回動方向と同方向へ連動して回動（揺動）し、前記第１の状態と第２の状態間を変動する。
【００４０】
前記普通図柄変動開始用左ゲート７２及び普通図柄変動開始用右ゲート７３の背面には遊技球が前記両ゲート７２，７３に入球したことを検出する普通図柄変動開始スイッチを備えている。
【００４１】
なお、図１における符号Ｆ１は外枠、Ｆ２は外枠Ｆ１に取り付けられた前面枠、Ｇは前面枠Ｆ２に開閉可能にヒンジで取り付けられたガラス枠である。また、前記遊技機１の前面側には、枠飾り左ランプ７９、枠飾り右ランプ８０及び枠飾りランプ８１，８２、払い出された遊技球を受けるための上側球受け皿８４、該上側球受け皿８４の飽和時に遊技球を受けるための下側球受け皿８５、効果音等を発するスピーカ８７、遊技者の発射操作に応じて遊技球を遊技領域６に向けて弾発発射する発射装置９１等がそれぞれ組み付けられている。前記発射装置９１は、操作ハンドル９２の操作により駆動する発射モータを裏側に有し、該発射モータの駆動により遊技球を弾発発射するようになっている。前記発射装置９１により発射された遊技球は、前記外側誘導レール４と内側誘導レール５間で構成される発射球誘導路を介して遊技領域６に誘導され、前記遊技領域６を転動しつつ下方へ落下する。また、この例の遊技機１には、プリペイドカードユニット９５が接続されている。
【００４２】
ここで、前記遊技機１が行う遊技について簡単に説明する。前記遊技機１では、前記発射装置９１により遊技領域６へ向けて発射された遊技球が、前記普通図柄変動開始用左ゲート７２及び普通図柄変動開始用右ゲート７３内を遊技球が通過すると、小当たり判定・普通図柄決定用乱数値が取得され、その取得乱数値に基づいて普通図柄の当たり（小当たり）判定が行われ、前記普通図柄表示部９で普通図柄が変動を開始し、所定時間変動後に停止する。その際、普通図柄の当たり判定結果が小当たりの場合には、小当たり普通図柄、この例では奇数で停止し、前記始動入賞装置１１の２つの可動片１２，１３が背面の始動入賞装置用ソレノイド１５によって略垂直で入賞し難い狭小開放状態（通常状態）から略Ｖ字形（逆ハの字形）の入賞し易い拡開開放状態に変化し、遊技球が始動入賞領域１４に入賞し易くなる。そして、前記始動入賞領域１４に遊技球が入賞すると、所定数の遊技球が賞球として払い出される。
【００４３】
また、前記始動入賞領域１４に遊技球が入賞すると、大当たり当否判定用乱数値が取得され、前記取得された大当たり当否判定用乱数値に基づいて大当たりの当否判定が行われ、前記特別図柄表示部８で特別図柄が変動を開始し、所定時間変動後に停止する。
【００４４】
前記大当たりの当否判定結果が大当たりの場合には、前記特別図柄表示部８に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な特別遊技（大当たり遊技）に移行する。前記特別遊技状態になると、前記大入賞装置２１における可動片回動用ソレノイド５８の前進後退作動部５９が、それまでの後退した収縮状態から前進して伸長状態になる。それによって、前記第１揺動アーム６１及び第２揺動アーム５７が揺動して、前記連動可動部材としての第２可動片４３，４４及び前記誘導可動部材としての第１可動片３３，３４が、前記第２の状態（図４の４−Ａ）、すなわち前記第１可動片３３，３４が遊技球を前記特定入賞領域２２へ誘導し難い状態から、前記第１の状態（図４の４−Ｂ）、すなわち前記第１可動片３３，３４が遊技球を前記特定入賞領域２２へ誘導し易い状態へ変動して前記入賞領域入球口２３，２４が開放される。その際、前記連動可動部材としての第２可動片４３，４４の変動によって、前記入賞領域入球口２３，２４が大きく開放されたような印象を遊技者に与える。さらに、前記誘導可動部材としての第１可動片３３，３４の色や前記連動可動部材としての第２可動片４３，４４の色及び前記遊技盤側部材１７の色の関係により、前記第１可動片３３，３４よりも前記第２可動片４３，４４の方が目立ち易く、あたかも第２可動片４３，４４によって遊技球が前記特定入賞領域２２へ遊技球が誘導されるような印象を遊技者に与え、実際の第１可動片３３，３４による前記特定入賞領域２２への遊技球の誘導よりも、遊技球が特定入賞領域２２へ誘導され易く思わせることができ、遊技に対する興趣が向上する。
【００４５】
前記特定入賞領域入球口２３，２４から特定入賞領域２２へ遊技球が入賞すると、その入賞を前記特定入賞領域入賞検出スイッチ２５により検出し、入球数をカウントして前記誘導可動部材としての第１可動片３３，３４及び前記連動可動部材としての第２可動片４３，４４が、所定時間（例えば２９．５秒）経過後、或いは特定入賞領域入賞検出スイッチ２５のカウント数が所定個数（例えば１０個）となった時点で閉じる。前記特定入賞領域２２内の前記特定入賞口２７への入賞が検出されると遊技者に特定の価値として、所定数の遊技球が賞球として遊技者に払い出される。また、前記第１可動片３３，３４及び前記第２可動片４３，４４の開放中（第１の状態中）又は閉じてから（第２の状態となってから）約２秒以内に、前記特定入賞領域２２内の前記特定入賞口２７への入賞が前記特定入賞口入賞検出スイッチにより検出されると、前記特別遊技（大当たり）を再度繰り返す継続権利が発生し、所定最高回数（例えば最高１６回）、前記開閉板１６の開放を繰り返すようになっている。
【００４６】
なお、本発明は、前記の実施例に限定されるものではなく、発明の趣旨を逸脱しない範囲において構成の一部を適宜に変更して実施することができる。例えば、図５を用いて説明した誘導可動部材と連動可動部材の軌跡が描く面積に関する構成と、図６を用いて説明した誘導可動部材の回動中心軸等との距離に関する構成と、図７を用いて説明した誘導可動部材の回動中心軸を通る垂線等との距離的関係に関する構成のうち何れか一つの構成とし、あるいは何れか二つの構成を組み合わせたものとしてもよい。さらに、前記連動可動部材の外周形状は、本実施例では円弧の外側にツノが突出した形状となっているが、それに限られず、例えば、円弧の外周側に半円形の突部を設けたりしてもよい。また、本実施例では、前記特定入賞領域へ入賞した際に遊技者に与えられる特定の価値は、所定数の遊技球の払出し（賞球）とされているが、他の価値としてもよい。また、前記連結溝は貫通されていなくともよい。
【図面の簡単な説明】
【００４７】
【図１】本発明の一例に係る弾球遊技機を示す正面図である。
【図２】同弾球遊技機の遊技盤について釘を省略して示す正面図である。
【図３】同弾球遊技機の役物の正面図である。
【図４】同弾球遊技機の役物における誘導可動部材の第１の状態と第２の状態を示す斜視図である。
【図５】同弾球遊技機において誘導可動部材と連動可動部材の軌跡が描く面積を示す図である。
【図６】同弾球遊技機において誘導可動部材の回動中心軸等との距離的関係を説明する図である。
【図７】同弾球遊技機において誘導可動部材の回動中心軸を通る垂線等との距離的関係を説明する図である。
【図８】同弾球遊技機の誘導可動部材における第１の状態と第２の状態を示す斜視図及び誘導可動部材及び連動可動部材の分解斜視図である。
【符号の説明】
【００４８】
１  遊技機
３  遊技盤
６  遊技領域
７  表示装置
８  特別表示部
９  普通図柄表示部
１０  役物
１１  始動入賞装置
１２，１３  始動入賞装置用可動片
１４  始動入賞領域
１７  遊技盤側部材（誘導可動部材及び連動可動部材の遊技盤側に配置される部材）
２１  大入賞装置
２２  特定入賞領域
２３，２４  特定入賞領域入球口
３３，３４  誘導可動部材としての第１可動片
３５，３６  誘導可動部材としての第１可動片の基部
３７，３８  誘導可動部材側連結部としての連結溝
４１，４２  誘導可動部材としての第１可動片の回動中心軸
４３，４４  連動可動部材としての第２可動片
４５，４６  連動可動部材としての第２可動片の基部
４７，４８  連動可動部材としての第２可動片の先端部
４９，５０  連動可動部材側連結部
５１，５２  連動可動部材としての第２可動片の回動中心軸
【図１】
2005312566.tif 000003
【図２】
2005312566.tif 000004
【図３】
2005312566.tif 000005
【図４】
2005312566.tif 000006
【図５】
2005312566.tif 000007
【図６】
2005312566.tif 000008
【図７】
2005312566.tif 000009
【図８】
2005312566.tif 000010